(57)【特許請求の範囲】
【請求項１】
折り畳まれていない状態と折り畳まれた状態とになるフレームと、底部で前記フレームの前部分に設けられた前輪（９）と、底部で前記フレームの後部分に設けられた後輪（１０）と、折り畳まれていない状態の前記フレームをロックするロック機構とを備えるベビーカーであって、
前記フレームは、その下部分で前輪（９）に接続されている前輪支持部（３）と、その下部分で後輪（１０）に接続されている後輪支持部（４）と、シートロッド（６）と、プッシュロッドと、支持ロッド（５）とを備え、前記前輪支持部（３）と前記後輪支持部（４）とは第一の回転継手（７）を形成するように交差し、いずれも前記第一の回転継手（７）の周りを回転することが可能であり、前記プッシュロッドは上部プッシュロッド（１）と下部プッシュロッド（２）とを備え、前記下部プッシュロッド（２）の下部分は前記第一の回転継手（７）に回転可能に接続され、前記下部プッシュロッド（２）の上部分と前記上部プッシュロッドとは第二の回転継手（８）を形成するように交差し、前記支持ロッド（５）の上部分が前記上部プッシュロッド（１）に回転可能に接続され、前記支持ロッド（５）の下部分は前記後輪支持部（４）に回転可能に接続され、前記シートロッド（６）の前部分は前記前輪支持部（３）に回転可能に接続され、前記シートロッド（６）の後部分は支持ロッド（５）に回転可能に接続され、ロック機構は前記第二の回転継手（８）に設けられており、前記上部プッシュロッド（１）と前記下部プッシュロッド（２）とを相互にロックすることが可能であり、
前記フレームが折り畳まれていない状態にある場合に、前記前輪支持部（３）と前記後輪支持部（４）とが相互に支持しあい、前記上部プッシュロッド（１）と前記下部プッシュロッド（２）とは、前記前輪（９）とは反対方向に延びており、前記ロック機構は前記上部プッシュロッド（１）と前記下部プッシュロッド（２）とを相互にロックし、前記支持ロッド（５）は前記下部プッシュロッド（２）と前記後輪支持部（４）との間に斜めに立って、前記シートロッド（６）は前記前輪支持部（３）と前記支持ロッド（５）との間で折り畳まれないようにされ、
前記フレームが折り畳まれた状態にある場合に、前記ロック機構はロックが解除されており、前記前輪支持部（３）と前記後輪支持部（４）と前記上部プッシュロッド（１）と前記下部プッシュロッド（２）と前記支持ロッド（５）と前記シートロッド（６）との全てが、相互に近づいて、一緒に折り畳まれる、ベビーカー。
【請求項２】
ねじりばねは、前記上部プッシュロッド（１）と前記下部プッシュロッド（２）とが前記第二の回転継手（８）を形成するように交差している箇所に設けられており、前記ロック機構がロック解除されたときに、前記上部プッシュロッド（１）は、前記第二の回転継手の周りを前方へ転がるように、前記ねじりばねによって動かされる、請求項１に記載のベビーカー。
【請求項３】
更に、引っ張りケーブル（１３）とロック解除ベルト（１４）とを備えるロック解除機構を備え、前記引っ張りケーブル（１３）は前記フレーム内に設けられ、前記引っ張りケーブル（１３）の上部は前記フレームを越えて延びていて、かつ、前記ロック機構に接続されており、前記引っ張りケーブル（１３）の下部は前記フレームを越えて延びていて、かつ、前記ロック解除ベルト（１４）に接続されており、前記ロック解除ベルト（１４）は、両側の前記後輪支持部（４）の間に位置し、前記ロック解除ベルト（１４）を引っ張ることで、前記引っ張りケーブル（１３）を介して前記ロック機構がロック解除とする、請求項１記載のベビーカー。
【請求項４】
前記前輪支持部（３）の上端部と前記後輪支持部（４）の上端部とは前記第一の回転継手（７）を形成するように交差し、前記シートロッド（６）と前記前輪支持部（３）との間の回転可能な接続継手は、前記第一の回転継手（７）より下方にある、請求項１記載の
ベビーカー。
【請求項５】
前記上部プッシュロッド（１）は、上部ロッド（１１）と下部ロッド（１２）とを固定的に交差することによって形成され、前記下部プッシュロッド（２）と前記上部プッシュロッド（１）とによって形成される前記第二の回転継手（８）は、前記上部ロッド（１１）と前記下部ロッド（１２）とが交差する箇所に位置し、前記支持ロッド（５）と前記下部ロッド（１２）の下部分とが回転可能に接続されている、請求項１〜４のいずれか記載のベビーカー。
【請求項６】
前記フレームが折り畳まれていない状態にある場合、前記支持ロッド（５）と前記下部ロッド（１２）とによって形成される前記回転可能な接続継手は、前記第二の回転継手（８）の下方にあり、
前記支持ロッド（５）と前記後輪支持部（４）とによって形成される回転可能な接続継手は、前記支持ロッド（５）と前記シートロッド（６）とによって形成される接続継手の下方にある、請求項５記載のベビーカー。
【請求項７】
前記後輪支持部（４）と前記下部プッシュロッド（２）と前記下部ロッド（１２）と前記支持ロッド（５）とは４つのリンク機構を形成する、請求項６に記載のベビーカー。
【請求項８】
前記フレームが折り畳まれていない状態にある場合、前記下部プッシュロッド（２）と前記上部ロッド（１１）とは実質的に同じ線上にあり、前記下部ロッド（１２）と前記支持ロッド（５）とも実質的に同じ線上にある、請求項７記載のベビーカー。
【発明の詳細な説明】
【技術分野】
【０００１】
本発明は、ベビーカーに関する。
【背景技術】
【０００２】
現在、保管及び搬送の便宜のために、ベビーカーは、通常、折り畳み可能な手法で設計されている。しかし、既存のベビーカーの折り畳みは、プッシュロッドが押され、続いて、フレームの他の部分が折り畳まれることによってなされる。折り畳み手順は、複雑であり、基本的には１つの折り畳みステップでは達成することができない。
【発明の開示】
【発明が解決しようとする課題】
【０００３】
本発明によって解決される技術的課題は、簡易な構造で折り畳みに便利なベビーカーを提供することである。
【課題を解決するための手段】
【０００４】
上記の技術的課題を解決するために、本発明は、以下の技術的スキームが使われる。すなわち、折り畳まれていない状態と折り畳まれた状態とになるフレームと、底部で前記フレームの前部分に設けられた前輪と、底部で前記フレームの後部分に設けられた後輪と、折り畳まれていない状態の前記フレームをロックするロック機構とを備えるベビーカーである。前記フレームは、その下部分で前輪に接続されている前輪支持部と、その下部分で後輪に接続されている後輪支持部と、シートロッドと、プッシュロッドと、支持ロッドとを備え、前記前輪支持部と前記後輪支持部とは第一の回転継手を形成するように交差し、いずれも前記第一の回転継手の周りを回転することが可能であり、前記プッシュロッドは上部プッシュロッドと下部プッシュロッドとを備え、前記下部プッシュロッドの下部分は前記第一の回転継手に回転可能に接続され、前記下部プッシュロッドの上部分と前記上部プッシュロッドとは第二の回転継手を形成するように交差し、前記支持ロッドの上部分が前記上部プッシュロッドに回転可能に接続され、前記支持ロッドの下部分は前記後輪支持部に回転可能に接続され、前記シートロッドの前部分は前記前輪支持部に回転可能に接続され、前記シートロッドの後部分は前記支持ロッドに回転可能に接続され、ロック機構は前記第二の回転継手に設けられており、前記上部プッシュロッドと前記下部プッシュロッドとを相互にロックすることが可能であり、前記フレームが折り畳まれていない状態にある場合に、前記前輪支持部と前記後輪支持部とが相互に支持しあい、前記上部プッシュロッドと前記下部プッシュロッドとは、前記前輪とは反対方向に延びており、前記ロック機構は前記上部プッシュロッドと前記下部プッシュロッドとを相互にロックし、前記支持ロッドは前記下部プッシュロッドと前記後輪支持部との間に斜めに立って、前記シートロッドは前記前輪支持部と前記支持ロッドとの間で折り畳まれないようにされ、前記フレームが折り畳まれた状態にある場合に、前記ロック機構はロックが解除されており、前記前輪支持部と前記後輪支持部と前記上部プッシュロッドと前記下部プッシュロッドと前記支持ロッドと前記シートロッドとの全てが相互に近づいて、一緒に折り畳まれる。
【０００５】
好ましくは、ねじりばねは、前記上部プッシュロッドと前記下部プッシュロッドとが前記第二の回転継手を形成するように交差している箇所に設けられており、前記ロック機構がロック解除されたときに、前記上部プッシュロッドは、前記第二の回転継手の周りを前方へ転がるように前記ねじりばねによって動かされる。
【０００６】
好ましくは、更に、引っ張りケーブルとロック解除ベルトとを備えるロック解除機構を備え、前記引っ張りケーブルは前記フレーム内に設けられ、前記引っ張りケーブルの上部
は前記フレームを越えて延びていて、かつ、前記ロック機構に接続されており、前記引っ張りケーブルの下部は前記フレームを越えて延びていて、かつ、前記ロック解除ベルトに接続されており、前記ロック解除ベルトは、両側の前記後輪支持部の間に位置し、前記ロック解除ベルトを引っ張ることで、前記引っ張りケーブルを介して前記ロック機構がロック解除する。
【０００７】
特に、前記前輪支持部の上端部と前記後輪支持部の上端部とは前記第一の回転継手を形成するように交差し、前記シートロッドと前記前輪支持部との間の回転可能な接続継手は、前記第一の回転継手より下にある。
【０００８】
特に、前記上部プッシュロッドは、上部ロッドと下部ロッドとを固定的に交差することによって形成され、前記下部プッシュロッドと前記上部プッシュロッドとによって形成される前記第二の回転継手は、前記上部ロッドと前記下部ロッドとが交差する箇所に位置し、前記支持ロッドと前記下部ロッドの下部分とが回転可能に接続されている。
【０００９】
更に、前記フレームが折り畳まれていない状態にある場合、前記支持ロッドと前記下部ロッドとの間の前記回転可能な接続継手は、前記第二の回転継手の下方にあり、前記支持ロッドと前記後輪支持部との間の回転可能な接続継手は、前記支持ロッドと前記シートロッドとの間の接続継手の下方にある。
特に、前記後輪支持部と前記下部プッシュロッドと前記下部ロッドと前記支持ロッドとは４つのリンク機構を形成する。
【００１０】
特に、前記フレームが折り畳まれていない状態にある場合、前記下部プッシュロッドと前記上部ロッドとは実質的に同じ線上にあり、前記下部ロッドと前記支持ロッドとも実質的に同じ線上にある。
例えば、前方、後方、上部、下部などの上記の方向付けの用語は、ベビーカーが普通に用いられること場合の方向付けとして規定されている。
【００１１】
本願の範囲は、上記の技術的特徴によって明確に組み合わされる技術的スキームに限定されるものではなく、上記の技術的特徴又はその等価的特徴の如何なる組み合わせにより形成される他の技術的スキームも包含しなければならない。例えば、技術的スキームは、上記の技術的特徴と本発明によって開示されている同様の機能を有する技術的特徴との間で取り替えることにより形成される（これに限定されるものではない）。
【００１２】
上記の技術的スキームを用いることに起因して、本願は、従来技術に比べて以下の利点がある。すなわち、上部プッシュロッドと下部プッシュロッドとがプッシュロッドを形成ために回転可能に接続され、ロック解除後に第二の回転継手の周りで上部プッシュロッドを回転させ、下部プッシュロッドと支持ロッドと前輪支持部と後輪支持部とシートロッドとを動かして相互に近づけて折り畳み、折り畳みステップのない１ステップでベビーカー全体の折り畳みが達成され、簡易で便利である。ねじりばねは、上部プッシュロッドと下部プッシュロッドとがロック解除された後に、上部プッシュロッドを前方に転がすように動かして、下部プッシュロッドに近づけて、折り畳むために第二の回転継手に設けられ、手動で折り畳む必要がない。ロック解除機構を提供することによって、ロック解除ベルトの引っ張りは、持ち上げによるベビーカーの折り畳みを達成し、かつ、ベビーカーの折り畳みがより簡易で便利になる。
【図面の簡単な説明】
【００１３】
【図１】折り畳まれていない状態での本願のベビーカーの３次元の概略図である。
【図２】折り畳まれていない状態での本願のベビーカーの側面図である。
【図３】半分折り畳まれた状態での本願のベビーカーの側面図である。
【図４】折り畳まれた状態での本願のベビーカーの側面図である。
【符号の説明】
【００１４】
１ 上部プッシュロッド
２ 下部プッシュロッド
３ 前輪支持部
４ 後輪支持部
５ 支持ロッド
６ 座席ロッド
７ 第一の回転継手
８ 第二の回転継手
９ 前輪
１０ 後輪
１１ 上部ロッド
１２ 下部ロッド
１３ 引っ張りケーブル
１４ ロック解除ベルト
【発明の実施の形態】
【００１５】
図１〜図４に示すように、本願のベビーカーは、折り畳まれていない状態と折り畳まれた状態とになるフレームと、底部でフレームの前部分に設けられた前輪９と、底部でフレームの後部分に設けられた後輪１０と、折り畳まれていない状態のフレームをロックするロック機構とを備える。
【００１６】
フレームは、その下部分で前輪９に接続されている前輪支持部３と、その下部分で後輪１０に接続されている後輪支持部４と、シートロッド６と、プッシュロッドと、支持ロッド５とを備える。前輪支持部３の上端部と後輪支持部４の上端部とは第一の回転継手７を形成するように交差し、前輪支持部３及び後輪支持部４は、それぞれ第一の回転継手７の周りを回転することが可能である。プッシュロッドは上部プッシュロッド１と下部プッシュロッド２とを備え、下部プッシュロッド２の下部分は第一の回転継手７に回転可能に接続され、下部プッシュロッド２の上部分と上部プッシュロッド１とは第二の回転継手８を形成するように交差し、支持ロッド５の上部分が上部プッシュロッド１に回転可能に接続されている。本実施形態では、上部プッシュロッド１は、上部ロッド１１と下部ロッド１２とを固定的に交差することによって形成され、下部プッシュロッド２と上部プッシュロッド１とによって形成される第二の回転継手８は、上部ロッド１１と下部ロッド１２とが交差する箇所に位置し、支持ロッド５と下部ロッド１とによって形成される接続は、下部ロッド１２の下部分に位置する。支持ロッド５の下部分は後輪支持部４に回転可能に接続され、シートロッド６の前部分は前輪支持部３に回転可能に接続され、シートロッド６の後部分は支持ロッド５に回転可能に接続されている。シートロッド６と前輪支持部３とによって形成される回転可能な接続継手は、第一の回転継手７の下方にある。後輪支持部４と下部プッシュロッド２と下部ロッド１２と支持ロッド５とは４つのリンク機構を形成する。
【００１７】
ロック機構は第二の回転継手８に設けられており、上部プッシュロッド１と下部プッシュロッド２とを相互にロックすることが可能である。ねじりばねは、上部プッシュロッド１と下部プッシュロッド２とが第二の回転継手８を形成するように交差している箇所に設
けられており、ロック機構がロック解除されたときに、上部プッシュロッド１は、第二の回転継手８の周りを前方へ転がるようにねじりばねによって動かされる。この結果、折り畳み時に手動で上部プッシュロッド１を回転させる必要がなくなり、上部プッシュロッド１は、ねじりばねと自重との作用下で、自動的に前向きに転がることができる。
【００１８】
ベビーカーは、更に、引っ張りケーブル１３とロック解除ベルト１４とを備えるロック解除機構を備える。引っ張りケーブル１３はフレーム内に設けられ、引っ張りケーブル１３の上部はフレームを越えて延びていて、かつ、ロック機構に接続されている。引っ張りケーブル１３の下部はフレームを超えて延びていて、かつ、ロック解除ベルト１４に接続されている。ロック解除ベルト１４は、両側の後輪支持部４の間に位置している。ロック解除ベルト１４を引っ張ることで、引っ張りケーブル１３を介してロック機構をロック解除とすることができる。
【００１９】
フレームが折り畳まれていない状態にある場合に、前輪支持部３と後輪支持部４とが相互に支持しあう。上部プッシュロッド１と下部プッシュロッド２は、前輪９とは反対方向に延びており、ロック機構は上部プッシュロッド１と下部プッシュロッド２とを相互にロックする。支持ロッド５は下部プッシュロッド２と後輪支持部４との間に斜めに立って、シートロッド６は前輪支持部３と支持ロッド５との間で折り畳まれないようにされている。支持ロッド５と下部ロッド１２とによって形成される回転可能な接続継手は、第二の回転継手８の下方にあり、支持ロッド５と後輪支持部４とによって形成される回転可能な接続継手は、支持ロッド５とシートロッド６とによって形成される接続継手の下方にある。下部プッシュロッド２と上部ロッド１１とは実質的に同じ線上にあり、かつ、下部ロッド１２と支持ロッド５とも実質的に同じ線上にある。
【００２０】
フレームが折り畳まれた状態にある場合に、ロック機構はロック解除されており、前輪支持部３と後輪支持部４と上部プッシュロッド１と下部プッシュロッド２と支持ロッド５とシートロッド６との全てが、相互に近づいて、一緒に折り畳まれている。
【００２１】
折り畳まれていない状態のベビーカーを折り畳むために、ロック機構は、ロック解除ベルト１４が直接引っ張られることによって、ロック解除ベルト１４を介して引っ張りケーブル１３が引っ張られてロック解除される。上部プッシュロッド１は、ねじりばねによって第二の回転継手８の周りを前方に転がるように動かされる。一方、前輪支持部３は、自重の作用下で第一の回転継手７の周りを回転し、後輪支持部４に向かって近づき、前輪支持部３はシートロッド６が後方に移動するように回転してプッシュする。シートロッド６は、支持ロッド５が後方に移動するようにプッシュする。後輪支持部４、下部プッシュロッド２、下部ロッド１２、及び、支持ロッド５は、４つのリンク機構を形成し、支持ロッド５は、上部プッシュロッド１全体を動かし、その後、下部プッシュロッド２を下向きに動かし、その後、前輪支持部３、後輪支持部４、上部プッシュロッド１、下部プッシュロッド２、支持ロッド５及びシートロッド６の全てを相互に近づけて、一緒に折り畳むことで、ベビーカーの折り畳みが達成される。本願は、簡易かつ便利な折り畳みで、複雑さもなく、また、ステップの増加もなく、ベビーカーの「折り畳みリフト」機能が実現できることがわかる。
【００２２】
折り畳まれた状態のベビーカーを折り畳まれないようにするためには、第二の回転継手８の周りで上部プッシュロッド１１が折りたたまれないように、引っ張って回転させることだけが必要となる。前輪支持部３、後輪支持部４、下部プッシュロッド２、支持ロッド５及びシートロッド６の全てが一つずつ伸び、ベビーカーのロック解除は、ロック機構を通じてフレームをロックすることによって達成される。
【００２３】
上述したように、本発明は、その目的に応じて説明されたが、上記実施形態及び実装方
法に限定されるものではない。種々の変形及び実装は、本発明の技術的思想の範囲内で関連する技術分野の実施者によって製造することができる。
【図１】
0006526222.tif 000002
【図２】
0006526222.tif 000003
【図３】
0006526222.tif 000004
【図４】
0006526222.tif 000005